(57)【要約】      （修正有）【課題】外部機器に接続されるコネクタを有する機器において、該コネクタを繰出状態を確実に維持でき、繰り出し状態から繰込み状態に移行させる際に、不要な操作を必要とせずに繰込むことができる機構を有した機器を提供する。【解決手段】機器本体１内部に収納される収納位置と、外部に突出させられた突出位置とに移動するコネクタ２ａを有する機器本体１と、コネクタ支持部材と、コネクタ支持部材を上記収納方向に移動駆動するために第１の回転方向に回転させられ、上記突出方向に移動駆動するために第２の回転方向に回転させられる回転操作部材８と、上記回転操作部材８と上記コネクタ支持部材とを連結し、コネクタ２ａが突出位置にあるとき、繰込み方向への外力が加えられたときに上記回転操作部材８が上記第２の回転方向に回転させるモーメントを発生させるリンク機構を具備した。【選択図】図２
2014075303.tif 000002
【特許請求の範囲】
【請求項１】
外部接続用コネクタを有する機器において、
コネクタが、該機器本体内部に収納される収納位置と、該機器本体外部に突出させられた突出位置とに移動するコネクタを有する機器本体と、
上記コネクタを支持し、上記コネクタを移動させるための操作者の駆動力を受けるコネクタ支持部材と、
操作者の駆動力を受けて上記コネクタ支持部材を上記収納方向に移動駆動するために第１の回転方向に回転させられ、上記コネクタ支持部材を上記突出方向に移動駆動するために第２の回転方向に回転させられる回転操作部材と、
上記回転操作部材と上記コネクタ支持部材とを連結し、上記コネクタが上記突出位置にあるとき、上記コネクタに、繰込み方向への外力が加えられたときに上記回転操作部材が上記第２の回転方向に回転させるモーメントを発生させる駆動力伝達手段と、
を具備したことを特徴とする外部接続用コネクタを有する機器。
【請求項２】
上記駆動力伝達手段はリンク機構からなることを特徴とする上記請求項１記載の外部接続用コネクタを有する機器。
【請求項３】
上記リンク機構は、
上記回転操作部材の回動に共って揺動するクランクと、
上記クランク部材の先端部に相対揺動回動可能に連結する連結部を有して、上記クランクの揺動に伴い上記コネクタ支持部材を上記収納位置と上記突出位置とに駆動するコネクティングロッドと、
上記回転操作部材の回転を受ける軸受であって、上記コネクタが突出位置にあり上記コネクタに上記収納位置方向への外力が与えられたとき、上記連結部に生じる力が上記回転操作部材を上記第２の回転方向に回転させるように配置された軸と、
を含むことを特徴とする上記請求項２記載の外部接続用コネクタを有する機器。
【発明の詳細な説明】
【技術分野】
【０００１】
この発明は外部接続用コネクタを有する機器に関する。
【背景技術】
【０００２】
従来、データを電気的に通信するため外部機器に接続するためのコネクタを有する機器がある。例えば、特開２００６−２０１６１号公報には、カメラ本体に対し出入りするコネクタが開示されている。該コネクタは別の機器としてのカメラにそのコネクタを接続される。
【先行技術文献】
【特許文献】
【０００３】
【特許文献１】特願２００６−２０１６１号公報
【発明の概要】
【発明が解決しようとする課題】
【０００４】
ところが、上記特願２００６−２０１６１号公報に示されるコネクタはカメラ本体から繰出されて、該コネクタが外部機器に接続されるとき、挿入力は必ず必要となる。この挿入力に抗してコネクタを繰り出し状態を保持するための固定機構、係止機構等が必要となるが、この機構に関し特に開示はない。また、このコネクタの繰り出し状態から繰り込みを行うときには、その固定機構、係止機構等の解除が必要であり、その操作はなるべく操作し易いものが望まれる。
【０００５】
本発明は、上述した点に鑑み、その目的とするところは、外部機器に接続されるコネクタを有する機器において、該コネクタを繰出状態に確実に維持でき、繰出状態から繰込状態に移行させる際に、不要な操作を必要とせずに繰込むことができる機構を有した機器を提供する。
【課題を解決するための手段】
【０００６】
外部接続用コネクタを有する機器において、コネクタが、該機器本体内部に収納される収納位置と、該機器本体外部に突出させられた突出位置とに移動するコネクタを有する機器本体と、上記コネクタを支持し、上記コネクタを移動させるための操作者の駆動力を受けるコネクタ支持部材と、操作者の駆動力を受けて上記コネクタ支持部材を上記収納方向に移動駆動するために第１の回転方向に回転させられ、上記コネクタ支持部材を上記突出方向に移動駆動するために第２の回転方向に回転させられる回転操作部材と、上記回転操作部材と上記コネクタ支持部材とを連結し、上記コネクタが上記突出位置にあるとき、上記コネクタに、繰込み方向への外力が加えられたときに上記回転操作部材が上記第２の回転方向に回転させるモーメントを発生させる駆動力伝達手段と、を具備する。
【発明の効果】
【０００７】
本発明によれば、コネクタを機器内に繰り込むときに、何らの意図的操作を必要とせずに、単一動作のみでコネクタを機器内部に繰り込むことができ、コネクタが繰出状態では該繰出状態を確実に維持できる外部接続用コネクタを有する機器を提供できる。
【図面の簡単な説明】
【０００８】
【図１】本発明の実施形態の外部接続用コネクタを有する機器の外観斜視図であり、外部接続用コネクタ（コネクタ）を繰込んだ状態の図すなわち、外部接続用コネクタが繰込位置（繰込完了状態、繰込状態、収納位置）にあるときの図である。
【図２】本発明の実施形態の外部接続用コネクタを有する機器の外観斜視図であり、図１の外部接続用コネクタ繰込状態から外部接続用コネクタを繰出した状態、すなわち、外部接続用コネクタが繰出位置（繰出完了状態、繰出状態、突出位置）にあるときの図である。
【図３】本発明の外部接続用コネクタを有する機器の分解斜視図である。
【図４】本発明の外部接続用コネクタを有する機器の分解斜視図であるが、図３で示す矢印Ｚ方向から見たときの外部接続用コネクタを有する機器の分解斜視図である。
【図５】図４で示すＡ部分を拡大した拡大図である。
【図６】本発明の外部接続用コネクタを有する機器に用いられる係止部材の拡大斜視図である。
【発明を実施するための形態】
【０００９】
以下、図示の実施形態によって本発明を説明する。
【００１０】
本発明の実施形態の外部接続用コネクタを有する機器は例えば、ＵＳＢメモリ−、デジタルカメラ、ボイスレコーダ等の様々な、データを通信できるものであればよく、本説明では説明を簡略化するためそれら装置、機器のコネクタ（ＵＳＢの場合、プラグと言う）に係わる部分のみを説明する。
【００１１】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１２】
始めに図３の分解斜視図にて概略の構成を説明する。
【００１３】
本機器は、機器本体１の筐体である外装部材としての第１ケース１ａと、第２のケース１ｂとを有する。第１ケース１ａと、第２のケース１ｂの内部には主として、コネクタ２ａを支持するコネクタ支持部材２と、コネクタ支持部材２をスライド移動可能に支持するスライドケース組立体３と、係止用ばね６と、係止カム７と、回転操作部材としての回転ダイアル８を含むダイアル組立体１１と、が設けられ収納されている。
【００１４】
第１ケース１ａは、長方形状の筐体であり外装部材である。第１ケース１ａには、その長手方向の一端部にコネクタ２ａが通過可能なように設けられたコネクタ用開口切欠１ｃと、スライドケース組立体３を第１ケース１ａに固定するためスライドケース組立体３の一側面に隣接するように第１ケース１ａの内面に設けられた止めボス１ｄと、第１ケース１ａにスライドケース組立体３を第１ボス１ｄと共に固定するため第１ケース１ａの長手方向に離間してスライドケース組立体３の一側面と対向する他の側面に隣接するように設けられた一対の鉤状の突部１ｅと、回転ダイアル８の回転軸となり、係止カム７が摺動嵌合する円柱状の軸である軸ボス１ｆとが設けられている。軸ボス１ｆには、軸ボスの根本より軸方向に沿って径方向に突出したキーとしての機能を有した一対のキー突部１ｇが、軸ボスの長さの略半分まで形成されている。さらに第１ケース１ａには、内面の平面部上に第１ケース１ａと第２のケース１ｂとを結合させるためのねじを通す孔を有した円筒径の結合ボス１ｈが垂直に４か所に設けられている。
【００１５】
第２ケース１ｂは、長方形状の筐体であり外装部材である。第２ケース１ｂは、その長手方向の一端部にコネクタ２ａが通過可能なように設けられたコネクタ用開口切欠１iと、第２ケース１ｂのその側方に、操作者の操作を受けることが可能なように、回転ダイアル８の一部が機器本体１の外部に露出する切り欠かれたダイアル用切欠１ｊとが設けられている。また不図示の第１ケース１ａと第２ケース１ｂとを結合するため、中心にはねじのための結合ボス１ｈに対応した位置に下穴を有した不図示のボス１ｋが第２ケース１ｂの内面側に４か所設けられている。
【００１６】
コネクタ支持部材２は、接続移動方向の一端に支持されたコネクタ２ａと側方にフォーク溝２ｃを有するフォーク部２ｂとが設けられ、後述のケース枠体３ａの中にコネクタの接続方向に摺動可能に配置される。
【００１７】
スライドケース組立体３は、コネクタ支持部材２がスライドケース組立体３の中で摺動移動可能なようにコネクタを包むケース枠体３ａと側面部材４とから成っている。
【００１８】
ケース枠体３ａは、一対の平面部３ｂ、３ｃとこれらを繋ぐ細長の側面部３ｄとから成る折り曲げられた板状の部材からなる。すなわち、コネクタの移動方向と垂直な断面はコの字状となる。側面部３ｄには外方に向かって垂直に曲げ起こされ、長手方向に互いに離間して一対の立曲部３ｊを有している（図５参照）。更に側面部３ｄにはコネクタの移動方向に沿って板を貫通したスロット３ｋが形成されている（図５参照）。
【００１９】
ケース枠体３ａは、このように直方体の三面が開放された形状となる。平面部３ｂの長手方向に沿った端面近傍には長手方向に互いに離間して一対の貫通孔３ｆ、３ｇが設けられている。同様に平面部３ｃにも一対の貫通孔３ｈ、３ｉが設けられている。
【００２０】
そして、ケース枠体３ａの側面部３ｄと離間し対向するように、板部材の別部品であって、コネクタ移動方向に沿って延びる帯状の側面部材４がケース枠体３ａに配置される。この側面部材４がケース枠体３ａと一体となることで、ケース枠体３ａが２つの開口を有する筒体となる。側面部材４は、帯状の平面部から直角に折り曲げられた４つの結合片と１つの固定片とを有する。結合片（４ｆ、４ｇ、４ｈ、４ｉ）は貫通孔３ｆ、３ｇ、貫通孔３ｈ、３ｉに対応する位置に配置されそれぞれにねじが螺合できるねじ孔が設けられている。残る１つの固定片４ｊには第１ケース１ａにスライドケース組立体３をねじで固定するための貫通孔が設けられている。
【００２１】
コネクタ２ａを有したコネクタ支持部材２がケース枠体３ａの中に収納、配置されて、ケース枠体３ａと側面部材４とが一体化される。このときコネクタ支持部材２のフォーク部２ｂがスロット３ｋにケース枠体３ａの内側から外方に向けて挿入された後にケース枠体３ａと側面部材４とが４つのねじ５により一体化される。すなわち、ケース枠体３ａの結合片３ｆには結合片４ｆが、結合片３ｇには結合片４ｇが、結合片３ｈには結合片４ｈが、結合片３ｉには結合片４ｉが対面し、それぞれの結合片がねじ５で締結される。この結果、スライドケース組立体３が完成する。このとき、コネクタ支持部材２はスライドケース組立体３の中に、スライドケース組立体３の長手方向に摺動可能に収納されている。
【００２２】
軸ボス１ｆの外周には係止用ばね６が、圧縮されることが可能に嵌合している。
【００２３】
さらにこの軸ボス１ｆには後述する係止カム７が係止用ばね６を軸方向に圧縮しながら嵌合し、軸ボス１ｆの軸方向に摺動移動に嵌合している。
【００２４】
係止カム７は図６に示すように円筒状に形成され、円筒中心には軸ボス１ｆに嵌合可能なようにやや大きめの円筒孔７ａが形成されている。係止カム７は後述の一対の突部８ｅとで係止手段を構成する。この円筒孔７ａは直接に軸ボス１ｆに嵌合せず、円筒孔７ａの内周に、軸方向に延びて、周方向に互いに離間して形成され、軸ボス１ｆの外周に当接して嵌合する４つの嵌合凸部７ｂが形成されている。係止カム７は軸ボス１ｆに嵌合するが、係止カム７の回転は軸ボス１ｆに設けられたキー突部１ｇにより禁止される。すなわち、係止カム７の円筒孔７ａの内周に、軸方向に沿って一対のキー溝７ｃが形成されていてキー突部１ｇと嵌合する。当然、キー突部１ｇは相対的にキー溝７ｃ内で軸ボス１ｆの中心軸に平行に摺動可能となっている。さらに係止カム７には、外周面から軸中心に向かって見たとき、軸中心に沿って彫られたＶ字状の係止用凹部７ｄが４箇所に設けられている。この凹部７ｄは円周方向に互いに離間して設けられている。そのうちの二つの係止用凹部７ｅは他の二つの係止用凹部７ｆより軸方向にやや浅めの深さを有している。これら係止用凹部の深さは後述する係止用の突部８ｄと係合し、回転ダイアル８の回転力量に影響を与える。一つの係止用凹部７ｅは一つの係止用凹部７ｆと螺旋状に形成された斜面７ｇと繋がっている。また同様にもう一つの係止用凹部７ｅはもう一つの係止用凹部７ｆと同じく螺旋状に形成された斜面７ｇと繋がっている。すなわち、係止カム７には一対の係止用凹部７ｅと一対の係止用凹部７ｆが設けられている（図６参照）。そして、一対の係止用凹部７ｅは円筒中心に関し対称に設けられ、一対の係止用凹部７ｆも円筒中心に関し対称に設けられている。
【００２５】
回転ダイアル８は、操作者の駆動力を受ける操作部材として軸ボス１ｆに対し回転可能に設けられる。回転ダイアル８は、外周にローレット模様が形成され、外周の一部が切り欠かれた外周リング部分８ａを有している。さらに、その外周リング部分８ａの内周内側に後述のクランク部組９のクランク９ａを取り付けるため、外周リング部８ａより薄く、中央に軸ボス１ｆと回転可能に嵌合する中心孔８ｃを有する取付リング部８ｂが外周リング部８ａと一体となって存在する。取付リング部８ｂにはクランク部組９を組み付けるための貫通孔８ｄと、取付リング８ｂの一面上に貫通孔８ｄを挟むように配置され板厚方向（回転ダイアルの回転の軸方向、中心孔軸方向）に延びた一対のガイド凸部８ｆと、一対の係止用凹部７ｅと一対の係止用凹部７ｆと係合するため、その裏面から中心孔軸方向（取付リング８ｂの板厚方向）に伸びた一対の突部８ｅとを有する。一対の突部８ｅは中心孔軸に関し互いに対称位置にある。
【００２６】
クランク部組９は、クランク９ａと、コネクティングロッド９ｂと、クランク９ａとコネクティングロッド９ｂとを相対的揺動回転可能に連結する連結部を構成する連結ピン９ｃと、コネクタ支持部材２のフォーク部２ｂのフォーク溝２ｃと係合する駆動ピン９ｄとから構成される。
【００２７】
クランク９ａは細長い鋼板等の板材からなり、この一端部に軸ボス１ｆと遊嵌する嵌合孔９ｅを有し、外形が略円形で、該円形の外形寸法が外周リング部分８ａの内径に嵌合するリング部分９ｆを有し、嵌合孔９ｅの近傍で嵌合孔９ｅから径方向に離間した部位に、クランク９ａを回転ダイアル８に固定するためのねじが形成されたねじ孔９ｇを有している。コネクティングロッド９ｂも細長い鋼板等の板材からなり、一端部はピン９ｃでクランク９ａの他端部とクランク９ａとコネクティングロッド９ｂとを相対的揺動回転可能に連結する。コネクティングロッド９ｂの他端部には駆動ピン９ｄが固着されている。
【００２８】
次にこれら部品、組立体を機器本体１に組み付ける組立てを説明する。
【００２９】
はじめに回転ダイアル８にクランク部組９を予め組み付けておく。クランク部組９のリング部分９ｆの外径を回転ダイアル８の外周リング部分８ａの内周に嵌合させ、クランク９ａの腕を一対のガイド凸部８ｆ中に嵌合させ、外周リング部分８ａの貫通孔８ｄを通してねじ１０をねじ孔９ｇに螺合させる。そうするとクランク９ａと回転ダイアルとの相対回転位置が決定され、クランク部組９と回転ダイアル８とが一体化されたものとなる。これをダイアル組立体１１と称する。これは回転ダイアル８とコネクタ支持部材２とを連結するリンク機構を構成している。
【００３０】
尚、ダイアル組立体１１及び軸ボス１ｆは駆動力伝達手段としてのリンク機構を構成していると言ってよい。
【００３１】
次に、スライドケース組立体３を第１ケース１ａの内面に載せる。このとき、スライドケース組立体３の一対の立曲部３ｊを第１ケース１ａの一対の鉤状の突部１ｅの鉤状部分の下に潜り込ませた状態とし（図５参照）、スライドケース組立体３の固定片４ｊを止めボス１ｄ上に載置する。そして、ねじ５ａを固定片４ｊに設けられた貫通孔に通して止めボス１ｄに螺合させ、スライドケース組立体３を第１ケース１ａに固定する。このときコネクタ２ａの先端は第１のケースのコネクタ用開口切欠１ｃの有る位置、若しくその近傍位置した位置、若しくは通過した状態にあることが予想されるが、組立のため、好ましくはコネクタ２ａをケース枠体３ａの中に収納させて繰込状態としておく。つまりコネクタ２ａはそのほとんどがケース枠体３ａの中にある。
【００３２】
次に、係止用ばね６をキー突部１ｇを含め軸ボス１ｆの外周に嵌合させる。そして係止用ばね６を圧縮するように係止カム７をさらに軸ボス１ｆに嵌合させる。このとき、係止カム７のキー溝７ｃに軸ボス１ｆのキー突部１ｇが嵌合している。
【００３３】
この状態でダイアル組立体１１を第１ケース１ａに載置するわけであるが、ダイアル組立体１１の回転ダイアル８にある一対の凸部８ｅを係止カム７の一対の繰込係止用凹部７ｅに係合させ、ダイアル組立体１１の回転ダイアル８の中心孔８ｃを、係止用ばね６に抗して係止カム７を軸方向に押しながら軸ボス１ｆに嵌合させる。この状態で軸ボス１ｆの先端近傍外周上にクリップ止め輪１２を止める。このときコネクティングロッド９ｂの先端にある駆動ピン９ｄをコネクタ支持部材２のフォーク部２ｂのフォーク溝２ｃに嵌合させる。尚、フォーク溝２ｃと駆動ピン９ｄとの係合は第２のケースの側壁内面により、駆動ピン９ｄの静止中、移動中も保持されている。
【００３４】
これにより、係止カム７の一対の繰込係止用凹部７ｅと一対の突部８ｅとの係合作用でコネクタ２ａは繰り込み状態で、略全ての部品は第１ケース１ａ内に保持されることになる。
【００３５】
最後に、この第１ケース１ａに第２ケース１ｂを被せ、４本のセルフタップのねじ１３を第１ケース１ａのボス１ｈに通し、第２ケースのボス１ｋ（不図示）にねじ止めして組立てを完成させる。
【００３６】
次に本装置である機器本体１の操作と作用を説明する。
【００３７】
上記組立状態ではコネクタが繰り込まれた状態（コネクタ繰込状態、収納位置、繰込完了状態、繰込状態）、すなわちコネクタ２ａが機器本体１内に収納された状態（図１参照）であり、外部の機器とは接続できないので回転ダイアルを操作者が操作して繰出しを行う。
【００３８】
尚、コネクタが繰り込まれた状態では、係止カム７の一対の繰込係止用凹部７ｅと一対の突部８ｅとの係合作用で、機器本体１に多少の衝撃や遠心力等の外力を与えても不用意にコネクタ２ａが飛び出ることは無い。このとき回転ダイアル８は第１の位置にあるという。
【００３９】
コネクタ繰込状態（図１参照）からコネクタを繰出すには回転ダイアル８を図１中の矢印Ｘの方向（第２の回転方向）に回転させると、回転ダイアル８と一体のクランク９ａは同方向に揺動回転する。これに伴いクランク９ａの揺動先端にある連結ピン９ｃを図１中の矢印Ｘ１の方向に移動させる。そして  コネクティングロッド９ｂは連結ピン９ｃと共に図１中の矢印Ｘ１の方向に移動しながら、回転ダイアル８の回転方向Ｘとは反対方向にクランク９ａと相対的に揺動する。そしてコネクティングロッド９ｂの端部にある駆動ピン９ｄも矢印Ｘ１の方向に移動する。この駆動ピン９ｄの移動によりフォーク部２ｂが矢印Ｘ１の方向に駆動され、コネクタ支持部材２のコネクタ２ａは矢印Ｘ１の方向に移動し機器本体１の外方に繰出される。この繰出し動作に連動して回転ダイアル８の一対の突部８ｅが係止カム７の繰込係止用凹７ｅから斜面７ｇを摺動して繰出係止用凹部７ｆと係合し繰出し動作が完了する。コネクタ２ａがこの繰出完了状態にあるとき、回転ダイアル（回転操作部材）８が第２の位置にあるという。
【００４０】
この繰出完了状態ではクランク部組９のコネクティングロッド９ｂはコネクタ２ａの移動方向、すなわち図２中に矢印Ｙ１で示す方向に平行である。
【００４１】
この状態においてコネクタ２ａに何らかの収納方向への外力、例えば衝撃、不用意な外力がコネクタ２ａを機器本体１内に押し込もうとすると駆動ピン９ｄと連結ピン９ｃを結ぶ線分Ｌ上の連結ピン９ｃに加わる力Ｆは回転ダイアル８に対して、モーメントを与える。すなわち線分Ｌと平行で軸ボス１ｆの中心を通る線分Ｃと線分Ｌとの間隔Ｓと力Ｆとの乗算の値がモーメントとして発生するが、本実施形態の機器本体１の配置では、このモーメントがコネクタ２ａを繰込むようにはならず、むしろ図１で示す矢印Ｘの方向に回転ダイアル８を回そうとする力、言い換えれば力ベクトルとなりコネクタ２ａが機器本体１内には繰込まない。つまり、回転ダイアル８を操作者が回さない限りコネクタ２ａは繰込ませることができない状態となっている。いわば、繰出状態でロックされている状態と同様になっている。
【００４２】
この繰出状態からコネクタ２ａを図２中に示す矢印Ｙ１方向の機器本体１内に繰込んで繰込状態とするには、図２中に示す矢印Ｙの方向（第１の回転方向）に回転ダイアル８を回転させるだけでよく、その作動は上述の逆作動が行われるだけである。このように他に余計な操作も必要がなく、円滑に繰込みを行うことができる。また、繰出操作においても同様に回転ダイアル８を回転させるだけでよく、他に余計な、なんらの操作も必要がなく、円滑に繰込みを行うことができる。
【００４３】
尚、本願実施形態の説明では係止カムの繰込係止用凹部と繰出係止用凹部の深さを異ならせたが、本願実施形態の場合、繰込状態から繰出状態への移行において、係止用ばねと係止カムの斜面の作用により回転ダイアルには第２の回転方向Ｘにトルクが作用し、迅速な繰出しが行える。また、これら繰込係止用凹部と繰出係止用凹部の深さを逆に設定すれば、斜面も逆に設定され回転ダイアルには第１の回転方向Ｙにトルクが作用し、迅速な繰込みが行える。また、繰込係止用凹部と繰出係止用凹部の深さを同じにすれば、コネクタの繰込み時に回転ダイアルに与える駆動力と繰出しのために回転ダイアルに与える駆動力に大きな差はなくなる。
【００４４】
尚、本願実施形態の説明ではリンク機構をクランク機構としたが、これに限らず平行リンク等の別のリンク機構を用いてもよい。
【００４５】
尚、本実施形態においては、繰出完了状態においてコネクティングロッド９ｂをコネクタ２ａの移動方向、すなわち図２中に矢印Ｙ１で示す方向に平行であるとしたが、不用意な外力がこれに限らず回転ダイアル８に繰込方向の回転を与えないモーメントとすればよく、コネクティングロッド９ｂが平行である必要もない。
【００４６】
以上のように、本発明の実施形態である機器本体１は、コネクタの繰込状態において、コネクタ２ａをこの位置に維持しておくため余計な部品を必要とせず、しかもなんら、回転ダイアルを回すという単一の操作以外の余計な動作を行わないでコネクタの繰出しを円滑に行うことができる。
【００４７】
また、コネクタの繰出状態において、コネクタ２ａをこの位置に維持しておくため余計な部品を必要とせず、回転ダイアルを回すという単一の操作（単一の操作行為）のみでコネクタの繰込みを円滑に行うことができる。しかも繰出状態において、機器本体、コネクタに衝撃等の不用意な外力、意図しない外力が掛けられてもコネクタ２ａが機器内に引っ込んでしまうということもない。
【００４８】
しかも繰込状態において、機器本体に衝撃等の不用意な外力、意図しない外力が掛けられてもコネクタ２ａが容易に飛び出してくるということもない。
【００４９】
また、本実施形態では、係止カムを用いて回転ダイアルの係止を行っているが、これに限らず、ボールとバネとを用いて、コネクタが繰出位置、繰込位置にあるとき,回転ダイアルにそれぞれの位置で、バネで付勢されたボールを係合させクリック感を出す溝を設けてもよい。
【００５０】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００５１】
本発明は、外部接続用コネクタ２３ａを備えた機器、例えばデジタルカメラ，携帯電話，音声再生機器，録音機器，電子手帳，電子辞書，パーソナルコンピュータ，ゲーム機器，テレビ，時計，ＧＰＳ（Global Positioning System）を利用したナビゲーション機器等、その他各種の電子機器に対して広く適用することができる。
【符号の説明】
【００５２】
１・・・機器本体、１ａ・・・第１のケース、１ｂ・・・第２のケース、１ｃ・・・コネクタ用開口切欠、１ｄ・・・止めボス、１ｅ・・・鉤状の突部、１ｆ・・・軸ボス、１ｇ・・・キー突部、１ｈ・・・結合ボス、１ｉ・・・コネクタ用開口切欠、１ｊ・・・ダイアル用切欠、１ｋ・・・ボス、
２・・・コネクタ支持部材、２ａ・・・コネクタ、２ｂ・・・フォーク部、２ｃ・・・フォーク溝、
３・・・スライドケース組立体、３ａ・・・ケース枠体、３ｂ・・・平面部、３ｃ・・・平面部、３ｄ・・・側面部、３ｆ・・・貫通孔、３ｇ・・・貫通孔、３ｈ・・・貫通孔、３ｉ・・・貫通孔、３ｊ・・・立曲部、３ｋ・・・スロット、
４・・・側面部材、４ｆ・・・ねじ孔、４ｇ・・・ねじ孔、４ｈ・・・ねじ孔、４ｉ・・・ねじ孔、４ｊ・・・固定片、
５・・・ねじ、５ａ・・・ねじ、
６・・・係止用ばね、
７・・・係止カム（係止部材）、７ａ・・・円筒孔、７ｂ・・・嵌合凸部、７ｃ・・・キー溝、７ｄ・・・凹部、７ｅ・・・繰込係止用凹部、７ｆ・・・繰出係止用凹部、７ｇ・・・斜面、
８・・・回転ダイアル、８ａ・・・外周リング部分、８ｂ・・・取付リング部、８ｃ・・・中心孔、８ｄ・・・貫通孔、８ｅ・・・突部、８ｆ・・・ガイド凸部、
９・・・クランク部組、９ａ・・・クランク、９ｂ・・・コネクティングロッド、９ｃ・・・連結ピン、９ｄ・・・駆動ピン、９ｅ・・・嵌合孔、９ｆ・・・リング部分、９ｇ・・・ねじ孔、
１０・・・ねじ、
１１・・・ダイアル組立体、
１２・・・グリップ止め輪
【図１】
2014075303.tif 000003
【図２】
2014075303.tif 000004
【図３】
2014075303.tif 000005
【図４】
2014075303.tif 000006
【図５】
2014075303.tif 000007
【図６】
2014075303.tif 000008